(57)【要約】  本発明は、車線装置（３０）、車両（１０）の車線を判定する方法、及び車線装置（３０）と相互作用する選択装置に関する。車線装置（３０）は、少なくとも１つの距離センサ（５８、５９、６５）の距離データ（６０、６１、６６）を評価するための評価手段（３２、３５、３７）を含み、該距離センサによって、距離データ（６０、６１、６６）から、少なくとも部分的に、車線の横に基本的に連続して延びる参照物体（６２、６４）からの側方距離（ｄ１−ｄ４）を決定することが可能である。評価手段（３２、３５、３７）は、距離データ（６０、６１、６６）を基に車線データ（３６）を決定するよう構成されている。本発明によると、さらに評価手段（３２、３５、３７）は、特に車線付近に存在する車両（１７）又は参照物体（６２、６４）の不連続性（６３）によってもたらされる、誤った情報を、距離データ（６０、６１、６６）から、除去するように構成されている。
2007511410.tif 000002
【特許請求の範囲】
【請求項１】
車両（１０、１１、１２）の車線を検知するための車線装置であって、前記車線装置（３０）は、少なくとも１つの距離センサ（５８、５９、６５）の距離データ（６０、６１、６６）を評価する評価手段（３２、３４、３７）を有し、少なくとも部分的に、前記車線側方に基本的に連続して延びる参照物体（６２、６４）からの側方距離（ｄ１−ｄ４）を前記距離データ（６０、６１、６６）から決定することが可能であり、前記評価手段（３２、３５、３７）は前記距離データ（６０、６１、６６）に応じて車線データ（３６）を取得するように構成されている車線装置において、
前記評価手段（３２、３５、３７）は、特に前記車線付近に存在する車両（１７）又は前記参照物体（６２、６４）の不連続性（６３）によってもたらされるノイズ情報を、前記距離データ（６０、６１、６６）から除去するよう構成されていることを特徴とする、車線装置。
【請求項２】
前記距離データ（６０、６１、６６）を濾波するため、少なくとも１つのハイパス・フィルタ（３１）及び／又は少なくとも１つのローパス・フィルタを含むことを特徴とする、請求項１に記載の車線装置。
【請求項３】
前記濾波のための信憑性確認を行うことを特徴とする、請求項１あるいは２に記載の車線装置。
【請求項４】
前記評価手段（３２、３５、３７）は、前記車線データ（３６）及び／又は前記距離データ（６０、６１、６６）を、記憶済車線データ（４５）と比較することを特徴とする、請求項１〜３のいずれか一項に記載の車線装置。
【請求項５】
前記距離センサ（５８、５９、６５）は、不可視又は不可聴の周波数の範囲内で動作することを特徴とする、請求項１〜４のいずれか一項に記載の車線装置。
【請求項６】
前記少なくとも１つの距離センサ（５８、５９、６５）は、超音波センサ、レーダーセンサ、又は赤外線センサであることを特徴とする、請求項１〜５のいずれか一項に記載の車線装置。
【請求項７】
無線位置確認システム、特にＧＰＳシステム（４１）の動作故障がある場合、及び／又は光学検知装置（４０）の動作故障がある場合、作動されることが可能である、又はそれ自体を作動させることを特徴とする、請求項１〜６のいずれか一項に記載の車線装置。
【請求項８】
前記少なくとも１つの距離センサ（５８、５９、６５）が前記車線装置（３０）の構成部品を形成することを特徴とする、請求項１〜７のいずれか一項に記載の車線装置。
【請求項９】
前記少なくとも１つの距離センサ（５８、５９、６５）が駐車支援装置（２８）の構成部品を形成することを特徴とする、請求項１〜８のいずれか一項に記載の車線装置。
【請求項１０】
前記少なくとも１つの距離センサ（５８、５９、６５）の前記距離データ（６０、６１、６６）を、前記車両（１０、１１、１２）の速度（ｖｌ）に応じて評価することを特徴とする、請求項１〜９のいずれか一項に記載の車線装置。
【請求項１１】
前記距離データ（６０、６１、６６）を、前記車両（１０、１１、１２）の前記少なくとも１つの距離センサ（５８、５９、６５）の位置に応じて評価し、特に加重することを特徴とする、請求項１〜１０のいずれか一項に記載の車線装置。
【請求項１２】
前記車両（１０、１１、１２）の横方向制御を行い、特に、前記車両（１０、１１、１２）のステアリング介入を生成するよう構成されていることを特徴とする、請求項１〜１１のいずれか一項に記載の車線装置。
【請求項１３】
前記少なくとも１つの距離センサ（５８、５９、６５）の距離データ（６０、６１、６６）を、前記車両（１０、１１、１２）の速度に応じて、前記駐車支援装置（２８）及び／又は前記車線装置（３０）のために選択する選択手段を有する、駐車支援装置（２８）及び請求項１〜１２のいずれか一項に記載の車線装置（３０）と相互作用する選択装置。
【請求項１４】
前記選択手段は、少なくとも２つの距離センサ（５８、５９、６５）の前記距離データ（６０、６１、６６）について、前記車両（１０、１１、１２）上のそれらの位置に応じて、方向に依って選択を行うよう構成されていることを特徴とする、請求項１３に記載の選択装置。
【請求項１５】
前記車線装置（３０）又は前記駐車支援装置（２８）の構成部品を形成することを特徴とする、請求項１３あるいは１４に記載の選択装置。
【請求項１６】
演算処理装置（２５）により実行されることが可能なプログラムコードを有することを特徴とする、請求項１〜１２のいずれか一項に記載の車線装置、又は請求項１３〜１５のいずれか一項に記載の選択装置。
【請求項１７】
請求項１６に記載の車線装置及び／又は選択装置を有する、記憶手段。
【請求項１８】
車両、特に乗用車であって、請求項１〜１２あるいは１６のいずれか一項に記載の車線装置（３０）、又は請求項１３〜１６のいずれか一項に記載の選択装置（２９）、及び／又は請求項１７に記載の記憶手段、を有することを特徴とする、車両。
【請求項１９】
車両（１０、１１、１２）の車線を検知する方法であって、
少なくとも１つの距離センサ（５８、５９、６５）の距離データ（６０、６１、６６）を評価するステップであって、少なくとも部分的に、前記車線側方に基本的に連続して延びる参照物体（６２、６４）からの側方距離（ｄ１−ｄ４）を前記距離データ（６０、６１、６６）から決定することが可能なステップと、前記距離データ（６０、６１、６６）に応じて車線データ（３６）を取得するステップとを含む方法において、
特に前記車線付近に存在する車両（１７）又は前記参照物体（６２、６４）の不連続性（６３）によってもたらされるノイズ情報が、前記距離データ（６０、６１、６６）から除去されることを特徴とする、方法。
【請求項２０】
距離センサ（５８、５９、６５）の使用であって、該距離センサは車両（１０）に取付けられた駐車支援装置の構成部品であり、同じく前記車両（１０）に取付けられた車線装置（３０）に供給される距離データ（６０、６１、６６）を提供するためのもので、前記車線装置（３０）は、前記車両（１０）が誘導される車線（１５）を判定するために、この距離データ（６０、６１、６６）から車線データ（３６）を取得する、距離センサ（５８、５９、６５）の使用。
【発明の詳細な説明】
【技術分野】
【０００１】
本発明は、車両の車線を検知するための車線装置及び方法、並びに車線装置と相互作用する選択装置に関する。
【背景技術】
【０００２】
既知の車線装置は、乗用車又は多用途車を車線に沿って誘導するのに使用される。トラック・フリー車両を車線に沿って誘導するために、例えば特許文献１では、路床に敷設された誘導ケーブルに沿って自動的に上記車両を誘導することが記載されている。車両は、誘導ケーブルの機能によって操縦される。しかし、誘導ケーブルはまれなケースにしか存在せず、従ってこうした車線誘導は、特定の用途、例えばバスの車線誘導（特許文献１）、あるいは特許文献２に開示されているような、例えば高層倉庫の、保管システム用積荷運搬車両等、でしか採用されない手段であった。このため、他の車線誘導システムは、例えばビデオカメラ等の、すなわち光学システムの使用を提案している。こうしたシステムは、例えば特許文献３に記載されている。しかし暗闇の場合、こうしたシステムは一般に、ビデオカメラの光に対する感度が十分な場合にのみ使用されることが可能である。
【０００３】
特許文献４は、車線に沿って車両を誘導するための車線装置について述べている。このようにするために、車線装置は２つの光学感知手段を有する。ＣＣＤカメラとして組み込まれた第１感知手段により、車道上に存在する好ましくは白の路面表示線が感知される。感知された路面表示線の概要が評価され、この過程で取得された情報は、車両が、路面表示線から識別される通りに、道路の進路に自動的に従って進行するように、ステアリング装置を作動させるのに使用される。路面表示線を感知するのが不可能な場合、車両の自動路線誘導は第２感知手段を用いて実施され、該手段はレーザーレーダー装置として組み込まれており、それによって車道に沿って配置された側壁と車両との距離が測定される。車両と側壁との距離を示すデータは、車両の車線誘導を実施するのに使用される。第２感知手段によって、この車線装置は一般の光線条件とは無関係に使用されることが可能である。しかし、例えば第２感知手段を使用して距離が感知される対象となる側壁が不連続で、従って、光線条件が難しい中で、感知された距離データにノイズ情報がある場合であっても信頼性をもって動作することは、この車線装置では保証されない。こうした状況は、例えばトンネル内で発生し、不連続性はトンネル壁の突起や窪みによってもたらされる。不連続性は、接近又は追い越し車両によってもたらされる可能性もある。さらに不連続性は、防護壁の隙間、又は低く設置された縁石によっても起こり得る。これらの状況においても車線装置の信頼性のある動作を確保するための対策は、特許文献４では明記されていない。
【０００４】
【特許文献１】独国特許出願公開第  ３０  ４２  ７２３  Ａ１号明細書
【特許文献２】独国特許出願公開第  ２６  ４９  ５９５  Ａ１号明細書
【特許文献３】欧州特許第  １  ０７４  ９０４  Ｂ１号明細書
【特許文献４】米国特許第６，１３８，０６２号明細書
【発明の開示】
【発明が解決しようとする課題】
【０００５】
本発明の目的は、従って、車線装置について、困難な環境条件にあっても信頼性をもって動作する車両の車線の判定、及び、困難な環境条件において使用するために設けられた別の既存の車線装置の改善を、可能にすることである。環境条件とは、光線条件、車道の又は車道に沿った構造の状態、及び車道又は車道の一部の状態を含むことを意味する。特に、本発明による車線装置は、暗闇で、及び／又はトンネル内で、及び／又は車道路面表示等が汚れている場合も、信頼性をもって動作することが望ましい。
【課題を解決するための手段】
【０００６】
上記の目的は、車両の車線を検知するための車線装置によって達成され、該車線装置は、少なくとも１つの距離センサの距離データを評価する評価手段を有し、少なくとも部分的に、車線側方に基本的に連続して延びる参照物体からの側方距離を距離データから決定することが可能である。評価手段は距離データに応じて車線データを取得するように構成されている。本発明によると、評価手段は、特に車線付近に存在する車両又は参照物体の不連続性によってもたらされるノイズ情報を、距離データから除去するよう構成されている。これにより、距離データに応じて取得された車線データは、車線装置の誤作動を招く可能性のあるノイズ情報を一切含まないことが保証される。
【０００７】
さらに、この目的は、対応する方法によって達成される。さらに、この目的を達成するため、車線装置と相互作用して、距離センサの距離データを、車線装置又は駐車支援装置へ割り当てる、選択装置が提供される。
【０００８】
本発明による車線装置は、例えば、車両が移動する車道、トンネル壁、衝突防護壁等に沿った縁石を、位置方向を決めるための参照物体として使用する。こうした参照物体は基本的には連続して延びている。評価手段は、１つ以上の参照物体からの１つ以上の距離を含む距離データから、車線データを取得する。この車線データは、例えばナビゲーションシステム又は車両の横制御装置へ、送信される。こうした横制御装置は、本発明による車線装置の構成部品となることも可能である。こうした車線装置は、車線追従装置とも言われている。車線装置は、車両、例えば乗用車又は多用途車を、所望の車線上に維持するための、ステアリング介入を実行する。
【０００９】
距離データは、ある程度のノイズを有する可能性があるか、あるいは信憑性がない。ノイズ情報は、例えば接近してくる車両、本発明に従って構成された当該車両に対して追い越しをかける車両等によってもたらされると考えられる。さらに、参照物体上に不連続性が存在する可能性もあり、例えば、衝突防護壁には隙間、トンネルの壁には突起又はくぼみ、低く設置された縁石等があることも考えられる。互いに組み合わされることが可能な多数の解決策が、こうしたノイズ情報を除去するために提案される。
【００１０】
例えば、ハイパス・フィルタが、高周波のノイズ情報を除去するのに設けられるようにすることも可能である。こうした高周波ノイズ情報は、例えばトンネル壁に沿って高速で移動する車両、及び幅の狭い突起を有するトンネル壁によってもたらされる。しかし、ローパス・フィルタも低周波ノイズ情報を除去するのに有利である。こうした低周波ノイズは、例えば、本発明に従って構成された車両に対して、低い相対速度で追い越しをかける車両等によってもたらされる可能性がある
【００１１】
さらに信憑性確認も好ましい。信憑性確認の間に、例えば複数の距離センサからの異なる距離データが評価される。１つのセンサの距離データが他の距離センサの距離データと著しく異なる場合、この異なる距離データは除去される。
【００１２】
別の好ましい変化形態は、記憶済車線データと比較される車線データ又は距離データを提供する。記憶済車線データは、例えば、デジタル化された道路地図から本発明による車線装置を抽出する。
【００１３】
距離センサは、好ましくは不可視又は不可聴周波数の範囲で動作する。特に、不可視周波数を使用することは、距離データの取得が少なくとも周囲の光に左右されない、という利点を有する。同じことは、不可聴周波数範囲で動作する距離センサの使用にも当てはまる。同時に、これらの周波数範囲により、運転者又は他の道路利用者に対する混乱は、確実に排除される。
【００１４】
距離センサは、例えば、超音波、レーダーセンサ、又は赤外線センサである。さらに、上述した構成の複数の異なるセンサを互いに組み合わせて適用することも可能である。
【００１５】
本発明による車線装置は、好ましくは、例えばＧＰＳシステム（Ｇｌｏｂａｌ  Ｐｏｓｉｔｉｏｎｉｎｇ  Ｓｙｓｔｅｍ：全地球測位システム）、又は、例えば１つ以上のビデオカメラ等の光学検知装置に基づいた、無線位置確認システムが作動していない場合に、作動する。無線位置確認システムは、例えば、トンネルでは最早作動しない。光学装置は、例えば車道表示が存在しない又は車道表示が汚れている、あるいは好ましくない照明又は難しい光線条件によっては、最早動作できない。
【００１６】
本発明による車線装置は、１つ以上の距離センサを好適に含む。しかし、本発明の特に好ましい変化形態は、本発明による車線装置が、駐車支援装置の距離センサを利用するように準備する。この結果、これらの距離センサが、一方では駐車支援によって、もう一方で車線装置によって利用されることで、二重使用が起こる。駐車支援装置は通常、車両の前方走行方向及び車両の逆走行方向に主に向けられる複数の距離センサを有する。さらに、斜め後方又は斜め前方に作用する距離センサも、一般的である。車両の周囲の側方領域をカバーするこれらの距離センサの距離データは、本発明による車線装置に特に関連性があり、従って本発明の好ましい変化形態は、車両上の距離センサの位置に応じて距離データを評価する車線装置を提供している。さらに、距離センサのそれぞれの位置に応じて、距離データに加重値を与えることも好適である。
【００１７】
上記の案は、次のように一般化された方法で要約されることが可能である。車両に取付けられた駐車支援装置の構成部品である距離センサは、これも車両に取付けられた車線装置に対して供給される距離データを入手可能にするのに使用され、上記車線装置は、この距離データから、車両が誘導される車線を判定するための車線データを取得する。
【００１８】
本発明の別の変化形態は、車両の横方向制御装置は、特に高速の車両速度において必要とされ、一方で駐車支援装置は、基本的に低速の車両速度において作動する、という認識に基づいている。これに伴って、距離センサの距離データを車両の速度に応じて評価する車線装置は、例えば車両が少なくとも所定の速度で前方に移動している場合にのみ、距離データを評価する、という対策が有利になされている。
【００１９】
本発明の１つの変化形態は、距離センサの距離データは、車線装置及び駐車支援装置とは独立した選択装置によって評価され、１つ以上の判定基準に応じて車線装置及び／又は駐車支援装置に割り当てられるよう定めている。例えば、選択装置は、車両が低速のときは駐車支援装置に対して、かつ高速では車線装置に対して、距離データを送信する。本発明の別の判定基準として、本発明による選択装置は、距離センサの位置を判定することが可能である。例えば、側面に取付けられた距離センサからは、車線装置に対して距離データが送信され、車両の前方又は後方に取付けられた距離センサからは、駐車支援装置に対して距離データが送信される。
【００２０】
以下に、本発明の例示された実施形態を、図面を参照してより詳細に説明する。
【発明を実施するための最良の形態】
【００２１】
図２は、道路１４の車道１３上を、一方が他方の後方を移動中の車両１０、１１、１２を図示している。車両１０〜１２の走行方向は、短い矢印によって示されている。車両１７は、道路１４の車道１６上を、車両１０〜１２に向かって接近している。
【００２２】
道路１４は、好ましくは、トンネルの中、例えば、トンネルの入口１８’の間に位置するトンネル区間１８の中に延びている。トンネル区間１８の外側では、車両１０、１１、１２は、例示された実施形態では理論上同一のデザインであるが、例えば、光学検知装置、無線位置確認システム等を用いて、それぞれの車線１５を検知する。車線１５の進路に関する情報は、例えば、ナビゲーションシステム及び／又は車両１０、１１、１２のステアリングシステム装置にとって役に立つ。上記の位置確認システムは、例えば、ラジオによって支援される、あるいは光学原理を使用して動作するが、しかしトンネル区間１８内では使用できない。本発明はこれを改善する。
【００２３】
例として、説明のために、図１に概略的に図示された、車両１０〜１２の機能的アセンブリを、車両１０についてより詳細に説明する。
【００２４】
車両１０は、例えば、内燃機関又は電気モータ（図示せず）を備えた、乗用車又は多用途車等である。
【００２５】
車両１０は、運転支援装置２０により運転作業を支援される運転者１９によって制御されることが可能である。運転支援装置２０は、本発明の１つの変化形態では、例えばステアリング修正を実行し、車両１０を安定させ（ＥＳＰ（Ｅｌｅｃｔｒｏｎｉｃ  Ｓｔａｂｉｌｉｔｙ  Ｐｒｏｇｒａｍ：電子安定性プログラム）モジュールの機能）、あるいは車両１０を自立的に制御してもよい。車両１０を操縦するために、ステアリングアクチュエータ２２を用いて車両１０の前輪２３の操縦を行う、ステアリング制御モジュール２１がある。ここでは、車両１０の後輪２４は操縦できない。しかし、理論的には、ステアリング制御モジュール２１は、操縦可能な後輪に対するステアリング作用を適用することも可能である。
【００２６】
運転支援装置２０の重要な機能は、ソフトウェアを使用して実行され、複数のソフトウェアモジュールが用意されている。ステアリング制御モジュール２１、駐車支援装置を形成し車両１０の駐車の支援を提供する駐車支援モジュール２８、距離センサによって取得された距離データを選択する選択モジュール２９、及び本発明による車線装置を形成する車線モジュール３０である。モジュール２１、２８、２９、３０のプログラムコードは、運転支援装置２０の１つ以上の演算処理装置２５によって実行され、メモリ２６、例えばＲＡＭ（Ｒａｎｄｏｍ  Ａｃｃｅｓｓ  Ｍｅｍｏｒｙ：ランダムアクセスメモリ）及び／又はＲＯＭ（Ｒｅａｄ  Ｏｎｌｙ  Ｍｅｍｏｒｙ：読み出しメモリ）、に格納される。
【００２７】
ステアリング制御モジュール２１は、車線に沿って車両１０を操縦するのに車線データが必要である。視界が良好で、且つ、例えば車道表示等が検知可能な場合、こうした車線データは、例えば１つ以上のビデオカメラを備えた光学検知装置４０によって送信される。さらに、運転支援装置２０、特にステアリング制御モジュール２１は、無線方式で動作する位置確認システム、例えばＧＰＳ受信器４１、から車線データを受信する。しかし、無線方式で送信された車線データ又は位置データは、あらゆる場所での受信、例えばトンネル区間１８内での受信は不可能である。さらに、車線表示等も検知できないので、光学検知装置４０も無効のままである。このような状況では、本発明による運転支援装置２０は好ましくは、不可視又は不可聴周波数範囲で動作する１つ以上の距離センサ５０から距離データを評価する。しかし勿論、運転支援装置２０は、検知装置４０及び／又はＧＰＳ受信器４１が通常通り機能している場合、可視又は可聴周波数範囲で動作する１つ以上の距離センサ５０から距離データを評価することも可能である。
【００２８】
距離センサ５０は、例えば、赤外線センサ、レーダーセンサ、超音波センサ等である。赤外線センサ及びレーダーセンサは、不可視周波数範囲で動作する距離センサであり、超音波センサは不可聴周波数範囲で動作するセンサである。距離センサ５０は、バスシステム５１及び／又は他の接続回線によって、運転支援装置２０に接続されている。距離センサ５０は、車両１０が、例えば０．０３〜３ｍ、０．０６〜５ｍ、０．２〜７ｍ等の、接近した距離にあるとき特に有効である。
【００２９】
距離センサの距離データ５０は、一部は駐車支援モジュール２８に関連し、一部はステアリング制御モジュール２１に関連する。モジュール２８、２１に対するそれぞれに関連した距離データの選択と割り当ては、選択モジュール２９によって行われる。割り当て判定基準は、例えば、車両１０上のそれぞれの距離センサ５０の位置である。例えば、車両１０の前部に配置された距離センサ５３により送信される距離データは、選択モジュール２９によって駐車支援モジュール２８へ送信される。距離センサ５３は、車両の長手軸１の方向に向けられ、例えば、点線で示される、円錐形の範囲を網羅する。距離センサ５４は車両１０の後部に配置され、車両１０の後ろの領域を網羅し、距離データ５５を送信する。車両の長手軸１の方向における距離センサ５４の向きに従って、選択モジュール２９は距離データ５５を駐車支援モジュール２８へ送信する。車両１０の後方には、例えば障害物５６、例えば別の車両、木の幹等がある。障害物５６は、距離センサ５４によって感知され、距離データ５５を用いて運転支援装置２０へ信号が送られる。選択モジュール２９は、例えば、可視及び／又は可聴出力手段５７を使用して、距離データに応じて距離情報を出力する駐車支援モジュール２８へ距離データ５５を送信する。出力手段５７は、それ自体は既知の方法で、例えば距離依存周波数で警告音を出力し、視覚的又はそれに類する方法で、障害物５６からの距離等を示す。
【００３０】
車両１０の左又は右に走行方向に配置された側方センサ５８、５９は、車両１０側方に対する障害物又は参照物体を感知する。カバー領域は、距離センサ５８、５９についても、点線で概略的に示されている。側方距離センサ５８、５９は、車両の横方向ｑの方向に、車両長手方向軸１方向の前方及び後方距離センサ５３、５４より、広い領域を網羅すると考えられる。距離センサ５８、５９によって送信された距離データ６０、６１は、本来は駐車支援モジュール２８には関係なく、むしろ主に車線モジュール３０のためのもので、同様に、選択モジュール２９から車線モジュール３０へ送信される。距離センサ５９により送信される距離データ６１は、例えば、トンネル区間１８のトンネル壁６２からの、あるいはトンネル壁６２上の突起６３からの、側方距離ｄ２、ｄ１に関する情報を含む。走行方向左に配置された側方距離センサ５８により送信される距離データ６０は、例えば、トンネル区間１８の、トンネル壁６３の反対にあるトンネル壁６４からの、車両１０の側方距離ｄ３、ｄ４に関する情報を含む。距離データ６０、６１を用いて、車線モジュール３０は車線データ３１を取得し、ステアリング制御モジュール２１へ供給することが可能で、それによってステアリング制御モジュール２１は車両１０を車線１５に沿って操縦できる。さらに、光学検知装置４０又はＧＰＳ受信器４１が無効な場合、距離データ６０、６１も利用可能である。
【００３１】
別の距離センサ６５は、斜め前方及び斜め後方、すなわち車両１０のコーナー領域、に配置されており、それぞれ斜め前方又は斜め後方の車両１０の領域において感応している。距離センサ６５により取得される距離データ６６は、一方で駐車支援モジュール２８に対して関連性があり、もう一方では車線モジュール３０に対して関連性がある。理論的には、距離データ６６は両方のモジュール２８、３０に対して送信されることが可能である。しかし、これはある状況下では、比較的高い処理負荷を伴う。従って、選択モジュール２９は、別の判定基準、具体的には車両１０の長手方向速度ｖｌに応じて、駐車支援モジュール２８及び／又は車線モジュール３０について、距離データ６６を選択する。低速の車両速度ｖｌ、例えば時速１０ｋｍ、では、選択モジュール２９は距離データ６６を駐車支援モジュール２８へ送信し、高速の車両速度ｖｌ、例えば時速２０ｋｍ超、では、上記距離データ６６を車線モジュール３０へ送信する。中間の範囲では、この場合例えば時速１０〜２０ｋｍでは、選択モジュール２９は、距離データ６６を両方のモジュール２８、３０へ送信する。選択モジュール２９は、回転速度計４４から車両速度ｖｌを受信する。
【００３２】
トンネル壁６２、６４は、基本的に連続的に延びる参照物体を形成する。しかし、例えば既に述べた壁突起６３等の、不連続性が存在することも考えられる。車両１０が突起６３を通過して走行する場合、走行方向前方にある距離センサ５９は距離データ６１を送信し、走行方向後方に位置する距離センサ５９は距離データ６１を送信し、この距離データ６１は比較的短い距離ｄ１を含む。この距離データ６１における短期間又は高周波数の変化は、距離データ６１からハイパス・フィルタ３１で取り除く。ハイパス・フィルタ３１は、車線モジュール３０の入力フィルタ３２に含まれている。さらにフィルタ３２は、ハイパス・フィルタ３１に加えて、又はその代わりに、有効な追跡手段３４も含む。例えば、追跡手段３４は、距離ｄ１が距離センサ５９によって別途計測された距離ｄ２とは著しく異なることを判断し、よって距離ｄ１を含む距離データ６１を選んで除外する。
【００３３】
光学検知装置４０は、例えば車道１３、１６を互いに分割する車道表示４２の１つによって、それ自体の位置を決定する。
【００３４】
変換手段３５は、距離データ６０、６１、６６を、車道１３及び／又は車線１５を特徴づける車線データ３６へ変換する。この点で、変換手段３５及び車線モジュール３０は、距離データを評価する評価手段とみなされることも可能である。
【００３５】
信憑性手段３７は、記憶済車線データ４５を用いて、車線データ３６を信憑性について確認する。例えば、信憑性手段３７は、ナビゲーションシステム４３から、例えばデジタル化道路地図に記憶された車道の進路についてのデータを受信する。すなわち、記憶済車線データ４５は、ナビゲーションシステム４３に格納されている。明快にするために、記憶済車線データ４５は、図１では図示されていない。車道データ３６が記憶済車道データと著しく異なる場合、取り除かれる。そうでなければ、信憑性手段３７は、車道データ３６を選択手段３８へ送信する。さらにナビゲーションシステム４３は、車両１０の現在位置を通知してもらうために、車線モジュール３０から車道データ３６を受信することも可能である。
【００３６】
選択手段３８は、光学検知装置４０及びＧＰＳ受信器４１が無効の場合、例えばトンネル区間１８内にある場合、車線モジュール３０のために車道データ３６を選択する。さらに、選択手段３８は、信憑性確認を実施し、光学検知手段４０により送信された車道データ又はＧＰＳ受信器４１によって送信された車道データを、ステアリング制御モジュール２１へ送信する選択手段の、例えば３つのうち２つへ、車道データ３６を、送信することも可能である。
【００３７】
ノイズは、接近する車両、例えば車両１１の場合、車両１７によって引き起される可能性もある。障害は、前を走行する車両によって引き起こされる可能性もある。
【００３８】
車両１１は、理論的には車両１０と同一のデザインであり、同様に距離センサ５８、５９を有する。センサ５９は、距離データ６１内のトンネル壁６２からの２つの同一距離ｄ１’、ｄ２’の信号を送る。車両１１の走行方向に対し後方左に配置された距離センサ５８は、反対側のトンネル壁６４からの距離ｄ４’の信号を送る。一方、走行方向に対し前方左に配置された距離センサ５８は、トンネル壁６４からより小さい距離、具体的には接近する車両１７からの距離ｄ３’を信号として送る。このより小さい距離ｄ３’は、例えばフィルタ３２又は信憑性手段３７によって、取り除かれる。
【００３９】
勿論、他の配置も可能であり、例えば選択モジュール２９は、車線モジュール３０に含まれるようにすることも可能である。さらに、選択モジュール２０は、運転支援装置２０から独立した選択装置であることも可能で、上記選択装置は、例えば、独自の演算処理装置を含む。ハードウェア及びソフトウェアを備えた本発明の実施形態が説明された例示された実施形態とは対照的に、完結したハードウェアソリューション又は完結したソフトウェアソリューションを組み込むことも可能である。
【図面の簡単な説明】
【００４０】
【図１】本発明による車線装置を装備した車両の概略図である。
【図２】本発明による複数の車両が、前方及び中を移動しているトンネル部分における運転状況を示す。
【図１】
2007511410.tif 000003
【図２】
2007511410.tif 000004
【手続補正書】
【提出日】平成17年6月1日(2005.6.1)
【手続補正１】
【補正対象書類名】特許請求の範囲
【補正対象項目名】全文
【補正方法】変更
【補正の内容】
【特許請求の範囲】
【請求項１】
車両（１０、１１、１２）の車線を検知するための車線装置であって、前記車線装置（３０）は、少なくとも１つの距離センサ（５８、５９、６５）の距離データ（６０、６１、６６）を評価する評価手段（３２、３４、３７）を有し、前記距離データ（６０、６１、６６）は、少なくとも部分的に、前記車線側方に基本的に連続して延びる参照物体（６２、６４）からの距離（ｄ１−ｄ４）についての情報を含み、前記評価手段（３２、３５、３７）は前記距離データ（６０、６１、６６）に応じて車線データ（３６）を取得するように構成されている車線装置において、
前記評価手段（３２、３５、３７）は、特に前記車線付近に存在する車両（１７）又は前記参照物体（６２、６４）の不連続性（６３）によってもたらされるノイズ情報を、前記距離データ（６０、６１、６６）から除去し、前記車線データ（３６）は、選別済みの距離データ（６０、６１、６６）に応じて取得されていることを特徴とする、車線装置。
【請求項２】
前記距離データ（６０、６１、６６）を選別するため、少なくとも１つのハイパス・フィルタ及び／又は少なくとも１つのローパス・フィルタ（３１）を含むことを特徴とする、請求項１に記載の車線装置。
【請求項３】
前記距離データの選別のための信憑性確認を行うことを特徴とする、請求項１あるいは２に記載の車線装置。
【請求項４】
前記評価手段（３２、３５、３７）は、前記車線データ（３６）及び／又は前記距離データ（６０、６１、６６）を、記憶済車線データ（４５）と比較することを特徴とする、請求項１〜３のいずれか一項に記載の車線装置。
【請求項５】
前記距離センサ（５８、５９、６５）は、不可視又は不可聴の周波数の範囲内で動作することを特徴とする、請求項１〜４のいずれか一項に記載の車線装置。
【請求項６】
前記少なくとも１つの距離センサ（５８、５９、６５）は、超音波センサ、レーダーセンサ、又は赤外線センサであることを特徴とする、請求項１〜５のいずれか一項に記載の車線装置。
【請求項７】
無線位置確認システム、特にＧＰＳシステム（４１）の動作故障がある場合、及び／又は光学検知装置（４０）の動作故障がある場合、作動されることが可能である、又はそれ自体を作動させることを特徴とする、請求項１〜６のいずれか一項に記載の車線装置。
【請求項８】
前記少なくとも１つの距離センサ（５８、５９、６５）が前記車線装置（３０）の構成部品を形成することを特徴とする、請求項１〜７のいずれか一項に記載の車線装置。
【請求項９】
前記少なくとも１つの距離センサ（５８、５９、６５）が駐車支援装置（２８）の構成部品を形成することを特徴とする、請求項１〜８のいずれか一項に記載の車線装置。
【請求項１０】
前記少なくとも１つの距離センサ（５８、５９、６５）の前記距離データ（６０、６１、６６）を、前記車両（１０、１１、１２）の速度（ｖｌ）に応じて評価することを特徴とする、請求項１〜９のいずれか一項に記載の車線装置。
【請求項１１】
前記距離データ（６０、６１、６６）を、前記車両（１０、１１、１２）の前記少なくとも１つの距離センサ（５８、５９、６５）の位置に応じて評価し、特に加重することを特徴とする、請求項１〜１０のいずれか一項に記載の車線装置。
【請求項１２】
前記車両（１０、１１、１２）の横方向制御を行い、特に、前記車両（１０、１１、１２）のステアリング介入を生成するよう構成されていることを特徴とする、請求項１〜１１のいずれか一項に記載の車線装置。
【請求項１３】
前記少なくとも１つの距離センサ（５８、５９、６５）の距離データ（６０、６１、６６）を、前記車両（１０、１１、１２）の速度に応じて、前記駐車支援装置（２８）及び／又は前記車線装置（３０）のために選択する選択手段を有する、駐車支援装置（２８）及び請求項１〜１２のいずれか一項に記載の車線装置（３０）と相互作用する選択装置。
【請求項１４】
前記選択手段は、少なくとも２つの距離センサ（５８、５９、６５）の前記距離データ（６０、６１、６６）について、前記車両（１０、１１、１２）上のそれらの位置に応じて、方向に依って選択を行うよう構成されていることを特徴とする、請求項１３に記載の選択装置。
【請求項１５】
前記車線装置（３０）又は前記駐車支援装置（２８）の構成部品を形成することを特徴とする、請求項１３あるいは１４に記載の選択装置。
【請求項１６】
演算処理装置（２５）により実行されることが可能なプログラムコードを有することを特徴とする、請求項１〜１２のいずれか一項に記載の車線装置、又は請求項１３〜１５のいずれか一項に記載の選択装置。
【請求項１７】
請求項１６に記載の車線装置及び／又は選択装置を有する、記憶手段。
【請求項１８】
車両、特に乗用車であって、請求項１〜１２あるいは１６のいずれか一項に記載の車線装置（３０）、又は請求項１３〜１６のいずれか一項に記載の選択装置（２９）、及び／又は請求項１７に記載の記憶手段、を有することを特徴とする、車両。
【請求項１９】
距離センサ（５８、５９、６５）の使用であって、該距離センサは車両（１０）に取付けられた駐車支援装置の構成部品であり、同じく前記車両（１０）に取付けられた、請求項１〜１８のいずれか１項に記載の車線装置（３０）に供給される距離データ（６０、６１、６６）を提供するためのもので、前記車線装置（３０）は、前記車両（１０）が誘導される車線（１５）を判定するために、この距離データ（６０、６１、６６）から車線データ（３６）を取得する、距離センサ（５８、５９、６５）の使用。
【請求項２０】
車両（１０、１１、１２）の車線を検知する方法であって、
少なくとも１つの距離センサ（５８、５９、６５）の距離データ（６０、６１、６６）を評価するステップであって、前記距離データ（６０、６１、６６）は、少なくとも部分的に、前記車線側方に基本的に連続して延びる参照物体（６２、６４）からの距離（ｄ１−ｄ４）についての情報を含むステップと、前記距離データ（６０、６１、６６）に応じて車線データ（３６）を取得するステップとを含む方法において、
前記車線付近に存在する車両（１７）又は前記参照物体（６２、６４）の不連続性（６３）によってもたらされるノイズ情報が、前記距離データ（６０、６１、６６）から除去され、前記車線データ（３６）は前記選別済みの距離データ（６０、６１、６６）に応じて取得されていることを特徴とする、方法。
【手続補正２】
【補正対象書類名】明細書
【補正対象項目名】００１０
【補正方法】変更
【補正の内容】
【００１０】
例えば、ローパス・フィルタが、高周波のノイズ情報を除去するのに設けられるようにすることも可能である。こうした高周波ノイズ情報は、例えばトンネル壁に沿って高速で移動する車両、及び幅の狭い突起を有するトンネル壁によってもたらされる。しかし、ハイパス・フィルタも低周波ノイズ情報を除去するのに有利である。こうした低周波ノイズは、例えば、本発明に従って構成された車両に対して、低い相対速度で追い越しをかける車両等によってもたらされる可能性がある
【手続補正３】
【補正対象書類名】明細書
【補正対象項目名】００３２
【補正方法】変更
【補正の内容】
【００３２】
トンネル壁６２、６４は、基本的に連続的に延びる参照物体を形成する。しかし、例えば既に述べた壁突起６３等の、不連続性が存在することも考えられる。車両１０が突起６３を通過して走行する場合、走行方向前方にある距離センサ５９は距離データ６１を送信し、走行方向後方に位置する距離センサ５９は距離データ６１を送信し、この距離データ６１は比較的短い距離ｄ１を含む。この距離データ６１における短期間又は高周波数の変化は、距離データ６１からローパス・フィルタ３１で取り除く。ローパス・フィルタ３１は、車線モジュール３０の入力フィルタ３２に含まれている。さらにフィルタ３２は、ローパス・フィルタ３１に加えて、又はその代わりに、有効な追跡手段３４も含む。例えば、追跡手段３４は、距離ｄ１が距離センサ５９によって別途計測された距離ｄ２とは著しく異なることを判断し、よって距離ｄ１を含む距離データ６１を選んで除外する。
【国際調査報告】
2007511410.tif 000005
2007511410.tif 000006
2007511410.tif 000007
2007511410.tif 000008
2007511410.tif 000009
2007511410.tif 000010